(57)【特許請求の範囲】
【請求項１】
ストラップの一端部にクリップが設けられ、そのクリップを挟んだポケットに収納される携帯電話に、前記ストラップの他端部が取り付けられたクリップ付きストラップにおいて、
前記ストラップの一端部にホルダを介してクリップが設けられ、前記ホルダは、これを前記ポケット内に入れ、そのポケットに前記クリップを挟んだ状態で、前記ストラップ側の端部が前記ポケットの底部に達する長さを有しており、前記ストラップは、ポケット収納状態の前記携帯電話に対してたるみのない長さを有することを特徴とするクリップ付きストラップ。
【請求項２】
前記ホルダが板状または軸状に形成され、そのホルダは、前記クリップが一端部に設けられたスリーブ内に、スライド部材をスライド可能に嵌め合わせたものであり、前記スリーブの他端部側の前記スライド部材の端部に前記ストラップが設けられ、前記スライド部材を前記スリーブ内で係脱可能に保持するようにしたことを特徴とする請求項１に記載のクリップ付きストラップ。
【請求項３】
前記スライド部材の前記スリーブ内での保持は、前記スリーブに複数設けられた前記スライド部材のスライド方向に並ぶ係合孔に、前記スライド部材に出没可能に設けられ、かつ突出方向に付勢された突起が嵌まることにより行われるものであることを特徴とする請求項２に記載のクリップ付きストラップ。
【請求項４】
前記ストラップが前記ホルダに着脱可能に設けられたことを特徴とする請求項１〜３のいずれかに記載のクリップ付きストラップ。
【発明の詳細な説明】
【技術分野】
【０００１】
この発明は、携帯電話に取り付けられるストラップにクリップが設けられたクリップ付きストラップに関する。
【背景技術】
【０００２】
一般に携帯電話には、携帯電話を身体や鞄等に取り付けるための環状の紐状部材（ストラップ）が取り付けられている。そのストラップには、携帯電話に取り付けられる側の端部とは反対側の端部にクリップが設けられ、そのクリップをワイシャツの胸ポケットや背広の内ポケット等に挟むようにしたものがある（特許文献１  図１参照）。
【０００３】
前記のクリップ付きのストラップは、例えば、ワイシャツの胸ポケットに携帯電話を収めたまま、身体をかがめたとき、胸ポケットから抜け出た携帯電話を胸ポケットに挟んだクリップがストラップで吊り下げた状態で支えることにより、床面や地面に落下するのを防止しようとするものである。
【特許文献１】実用新案登録第３０４６６６４号公報
【発明の開示】
【発明が解決しようとする課題】
【０００４】
しかしながら、特許文献１に記載のクリップ付きストラップを使用していても、上着の胸ポケットに入れられた携帯電話は、ポケットに挟んだクリップを中心にして紐状部材の長さ分だけ自由に動き得るので、身体をかがめるとポケットから抜け出て、紐状部材が携帯電話に引っ張られたときの衝撃でクリップがポケットから外れ、携帯電話が地面や床面に落下するおそれがあった。
【０００５】
そこで、この発明は、上着等のポケットに携帯電話を入れたまま、身体をかがめても、ポケットから抜け出ないようにすることを課題とする。
【課題を解決するための手段】
【０００６】
前記の課題を達成するために、この発明のクリップ付きストラップは、ストラップの一端部にクリップが設けられ、そのクリップを挟んだポケットに収納される携帯電話に、前記ストラップの他端部が取り付けられたクリップ付きストラップにおいて、前記ストラップの一端部にホルダを介してクリップが設けられ、前記ホルダは、これを前記ポケット内に入れ、そのポケットに前記クリップを挟んだ状態で、前記ストラップ側の端部が前記ポケットの底部に達する長さを有しており、前記ストラップは、ポケット収納状態の前記携帯電話に対してたるみのない長さを有する構成を採用したのである。
【０００７】
ここで、「たるみのない長さ」とは、正規の使用状態において、ホルダとポケット収納状態の携帯電話との間に設けられたストラップがたるみのない状態となる長さをいい、まっすぐに張った状態だけでなく、ポケット内で携帯電話が傾く程度の若干の余裕を有する長さを含む。また、ポケットは、上着の胸元に設けられたポケットであり、その上着としては、背広、ワイシャツ、Ｔシャツなど上半身を覆う衣服をいう。
【０００８】
この構成を採用すると、クリップを上着等の胸ポケットに挟んだときに、ストラップを設けたホルダの他端部がポケットの底部に位置する。この状態で身体を前かがみにしても、ポケット収納状態の携帯電話は、これにたるみなく取り付けたストラップを介してポケットの底部に位置するホルダの他端部で支えられる。このため、携帯電話をポケットから抜け出ないようにすることができる。
【０００９】
前記構成において、前記ホルダが板状または軸状に形成され、そのホルダは、前記クリップが一端部に設けられたスリーブ内に、スライド部材をスライド可能に嵌め合わせたものであり、前記スリーブの他端部側の前記スライド部材の端部に前記ストラップが設けられ、前記スライド部材を前記スリーブ内で係脱可能に保持するようにした構成を採用したのである。
【００１０】
このようにすれば、ホルダがポケットの深さに対応する長さとなるように、スリーブ内でスライド部材をスライドさせて保持することができる。このため、上着等のポケットの深さに応じて、ホルダの他端部（スライド部材の下端部）をポケットの底部に位置させることができる。また、ポケットの形状や幅に応じてホルダを板状または軸状に形成してもよい。
【００１１】
前記スライド部材の前記スリーブ内での保持が、スライド部材をスリーブ内に圧入嵌合して、スリーブとスライド部材との間に摩擦抵抗を発生させることにより行われるようにするなど、種々考えられるが、例えば、前記スリーブに複数設けられた前記スライド部材のスライド方向に並ぶ係合孔に、前記スライド部材に出没可能に設けられ、かつ突出方向に付勢された突起が嵌まることにより行われるようにしてもよい。
【００１２】
このようにすると、スライド部材の突起をスリーブの係合孔に嵌めることで、スライド部材のスライド方向への移動を確実に規制することができる。このため、身体が前かがみになって、ストラップで携帯電話を支えるとき、携帯電話の重さで、スライド部材がスリーブ内に差し込まれる方向に移動することを防止することができる。
【００１３】
また、前記ストラップが前記ホルダに着脱可能に設けられた構成を採用することができる。このようにすると、携帯電話を使用する際、携帯電話に取り付けたストラップからホルダを外すことができる。このため、携帯電話にはストラップのみが取り付けられた状態となり、通話中などホルダが邪魔にならない。
【発明の効果】
【００１４】
以上のように、この発明は、上着等のポケットに入れた携帯電話を、ストラップを介してポケットの底部に位置させたホルダの他端部で支えるので、携帯電話がポケットから抜け出ないようにして、携帯電話の地面や床面への落下を防止することができる。
【発明を実施するための最良の形態】
【００１５】
この発明の第１実施形態を図１〜図６に示す。
この実施形態のクリップ付きストラップ１０は、図１に示すように、板状のホルダ１１と、ホルダ１１の表面側（上着のポケットを構成する布地側）の一端部中央に設けられたクリップ１２と、前記ホルダ１１の他端部中央に取り付けられたストラップ１３とを備えたものである。
【００１６】
前記ホルダ１１は、図２に示すように、一端面部が閉塞した角筒状のスリーブ１４と、このスリーブ１４内にスライド可能に嵌め合わせる板状のスライド部材１５（スライド板１５）とから構成される。
【００１７】
スリーブ１４は、合成樹脂から形成され、その表面中央の閉塞側端部（一端部）寄りに、クリップ１２が設けられている。また、スリーブ１４の裏面（クリップ１２が設けられた面の反対面）中央には、スライド板１５のスライド方向に沿って並ぶ複数の係合孔２１、２１…が設けられている。
【００１８】
クリップ１２は、スリーブ１４の表面の一端部寄りの中央から突出する一対のアーム片と、クリップ片１６の両側部中央から起立する一対のアーム片を相互に重ね合わせて一対のアーム片１７とし、この一対のアーム片１７の間に挿通した軸体１８に、つるまきばね１９を取り付けたものである（図２参照）。なお、スリーブ１４の素材は、合成樹脂に限らず、携帯電話をストラップ１３で吊り下げたときに、折れ曲がらない程度の剛性を有する素材であればよい。
【００１９】
クリップ１２のつるまきばね１９は、その両端部を互いに接近させた状態（圧縮状態）で、かつスリーブ１４の一端部側に向くようにスリーブ１４とクリップ片１６間に取り付けられる。これにより、このクリップ１２は、つるまきばね１９の弾性復元力によりクリップ片１６の端部が、スリーブ１４の表面に押し付けられる。なお、クリップ片１６の端部をスリーブ１４の表面に押し付けるばねは、つるまきばね１９に限られず、弾性を有するものであればよく、例えば、板ばね、コイルばね等を適用することができる。
【００２０】
スリーブ１４内をスライドするスライド板１５は合成樹脂からなり、前記スリーブ１４に嵌まる厚み、幅を有するものである。また、その表面には、図３に示すように、スライド方向に長い断面矩形の凹部２２が形成されている。なお、スライド板１５の素材も、合成樹脂に限られずスリーブ１４の素材と同様、携帯電話をストラップ１３で吊り下げたときに、折れ曲がらない程度の剛性を有する素材であればよく、スリーブ１４と同じ素材であれば、成型により容易かつ安価に製作可能である。
【００２１】
また、スライド板１５は、一方の端面中央に断面角型の差し込み穴２５が設けられており、ストラップ１３が係止する差し込み片２８が抜き差し可能となっている。さらに、スライド板１５の一側面部から幅方向に挿通穴２６が設けられ、前記差し込み穴２５の側方につながっている。
【００２２】
スライド板１５の凹部２２内には、図３に示すように、板ばね２３が収納されており、その板ばね２３の中間部に、外向き（凹部２２から突き出す向き）に湾曲する突出部（突起２４）が形成されている。
【００２３】
この板ばね２３は弾性を有するため、突起２４を押し込むと、突起２４がつぶれて長さが伸びるように両端部が凹部２２内で開く。一方、突起２４の押し込みが解除されると、板ばね２３の弾性復元力により突起２４の形が元に戻り、凹部２２から突起２４が突出する。このように、板ばね２３の弾性力により、突起２４が凹部２２に対して出没可能となり、かつ突出方向に付勢される（図４（ａ）参照）。
【００２４】
なお、板ばね２３の突起２４の構成は、図４（ａ）に示すように、板ばね２３の中央部を湾曲して形成した構成に限られず、例えば、板ばね２３の中央部に半球形状をなす突起２４を固定したもの（図４（ｂ）参照）、スライド板１５の凹部２２を貫通穴２２とし、板ばね２３の代わりにコイルばね２３を貫通穴２２に厚さ方向に配置して、そのコイルばね２３の一端部に突起片２４を固定したもの（図４（ｃ）参照）、あるいは、板ばね２３を使用せず、スライド板１５の一部に薄肉部２３と、その薄肉部２３の中央に配置した突部２４（突起２４）を一体に設け、薄肉部２３が弾性を有するものとしたもの（図４（ｄ）参照）などとすることができる。また、実質的に同一と考えられる構成に同符号を用いる。
【００２５】
前記スライド板１５における凹部２２の位置は、図１に示すように、スライド板１５をスリーブ１４内に差し込んだときに、凹部２２内の突起２４がホルダ１４の係合孔２１のいずれかに１つに係合する位置となっている。このため、スリーブ１４内にスライド板１５が差し込まれると、突起２４がスリーブ１４の係止孔２１のいずれか１つに係合し、スライド板１５がスリーブ１４内で係脱可能に保持される。この保持により、スリーブ１４内でのスライド板１５のスライドが規制される。
【００２６】
さらに、突起２４を押し込み、スライド板１５をスリーブ１４内でスライドさせて、他の係合孔２１に突起２４を係合させることで、スライド板１５のスリーブ１４に対する保持位置を所望の位置に変え、ホルダ１１の全長を調節することができる。
【００２７】
前記スライド板１５に設けられるストラップ１３は、図３に示すように、細く十分な引っ張り強度を有する合成繊維からなる紐体を環状としたものである。このストラップ１３の端部が、リング付きの留め金具３１に加締めるように固定される。留め金具３１に固定されたストラップ１３は、留め金具３１のリングを前記差し込み片２８の孔に係止することで、差し込み片２８に取り付けられる。
【００２８】
この差し込み片２８は、一方の側部から中央部にかけて切り欠き２９が形成されている。差し込み片２８をスライド板１５の差し込み穴２５に挿入したとき、この切り欠き２９に挿通穴２６に挿入したピン２７が係合する（図１参照）。この切り欠き２９とピン２７との係合によって、差し込み片２８は、スライド板１５から抜け出ない。また、ピン２７を抜き取ると、差し込み片２８をスライド板１５から抜き取ることができるので、ストラップ１３が取り付けられた差し込み片２８が、スライド板１５に対して着脱可能となる。この結果、携帯電話１の使用時、スライド板１５から差し込み片２８を外すことができ、ホルダ１１が邪魔にならない。
【００２９】
また、このストラップ１３は、その長さが、図５（ｂ）に示すように、正規の使用状態において、ホルダ１１とポケット収納状態の携帯電話１との間に設けられたストラップ１３がたるみのない状態となる長さを有する。なお、このストラップ１３の長さは、ホルダ１１とポケット収納状態の携帯電話１との間において、まっすぐに張った状態だけでなく、ポケット２内で携帯電話１が傾く程度の若干の余裕を有する長さを含むものとする。
【００３０】
このような長さであれば、身体を前にかがめたとき、前記の位置でポケット２に入れた携帯電話１が、ポケット２の底部に位置するスライド板１５の端部でストラップ１３を介して支えられるため、ポケット２から携帯電話１が抜け出るのを防止することができる。
【００３１】
この第１実施形態に係るクリップ付きストラップ１０の使用方法を説明する。まず、ストラップ１３を携帯電話１に設けられた取り付け部３に結び、携帯電話１にクリップ付きストラップ１０を取り付ける。
【００３２】
次に、携帯電話１を入れる上着の胸ポケット２の深さに応じて、クリップ１２が上着の胸ポケット２の開口縁部を挟んだ状態で、ホルダ１１のストラップ側端部がポケット２の底部に達する位置となるように、スリーブ１４内でスライド板１５をスライドさせてホルダ１１の長さを調節する。
【００３３】
ホルダ１１の長さ調節後、携帯電話１を取り付け部３に近い側の端部を下に向けて上着の胸ポケット２に入れるとともに、クリップ片１６が身体に対して外向きとなった状態でホルダ１１をスライド板１５の差し込み片２８から上着の胸ポケット２に差し込む。
【００３４】
このとき、このホルダ１１の差し込みは、クリップ片１６とスリーブ１４を指でつまみながら行われ、ホルダ１１が差し込まれると、ホルダ１１とクリップ片１６の間にポケット２の開口縁部が差し込まれる。その後、クリップ片１６から指を離すことで、クリップ片１６がポケット２の開口縁部を押し付けて、クリップ１２がポケット２を挟む（図５参照）。
【００３５】
このとき、床面に落ちたものを拾おうとするなどして、身体を前にかがめると、図６に示すように、携帯電話１は、ストラップ１３を介して、胸ポケット２の底部に位置するスライド板１５端部の差し込み片２８で支えられる状態となる。その結果、携帯電話１が上着の胸ポケット２から抜け出ないので、携帯電話１の胸ポケット２からの脱落を防止することができる。
【００３６】
前記ホルダ１１のスライド板１５と、差し込み片２８との構造は、スライド板１５に対して差し込み片２８が着脱可能な限り適宜変更することができる。一例として、この発明の第２実施形態を図７に示す。なお、以下においては、前記第１実施形態との相違点を中心に述べ、実質的に同一と考えられる構成に同符号を用いる。
【００３７】
図７に示すように、第２実施形態のクリップ付きストラップ１０は、スライド板１５の端部（スリーブ１４の他端部側の端部）に第１実施形態の差し込み穴２５に代えて、雌バックル部３２を一体に設け、差し込み片２８をその雌バックル部３２と互いに噛み合う雄バックル体２８としたのである。
【００３８】
差し込み片２８としての雄バックル体に、リング付きの留め金具３１を介してストラップ１３が設けられる。これにより、スライド板１５の雌バックル部３２に雄バックル体２８を噛み合わせて、スライド板１５にストラップ１３を着脱可能に設けることができる。
【００３９】
この発明の第３実施形態を図８に示す。この実施形態では、同図に示すように、ホルダ１１の形状を軸状に形成した点で、前述の第１実施形態の場合と相違する。その他の構成は前記第１実施形態の場合と同様であり、同一に考えられる構成に同符号を用いる。
【００４０】
すなわち、ホルダ１１は、一端面部が閉塞した円筒状のスリーブ１４と、このスリーブ１４内にスライド可能に嵌め合わせる軸状のスライド部材１５（スライド軸１５）とから構成される。
【００４１】
前記スリーブ１４の一端部には前記クリップ１２が設けられる。このクリップ１２は、スリーブ１４に一体に設けられた弾性を有するクリップ片１６が、自然状態でスリーブ１４の表面を押し付けるものである。スリーブ１４には、係合孔２１がスライド軸１５のスライド方向に沿って複数形成されており、スライド軸１５に設けられた突起２４が係合孔２１に係合する。
【００４２】
これにより、クリップ片１６とスリーブ１４の間に、上着の胸ポケット２の開口縁部を差し込むと、クリップ片１６が胸ポケット２の開口縁部をスリーブ１４の表面に押し付けてホルダ１１の脱落を防止する。
【００４３】
また、前記クリップ１２の構造は、クリップ付きストラップ１０の機能に影響を与えない範囲で、他の構造に変更することができる。その一例として第３実施形態の変形例を図９に示す。
【００４４】
この変形例では、前記クリップ１２は、前記スリーブ１４とは別体の一対のクリップ片１６、１６から構成される。両クリップ片１６の両側部中央から起立するアーム片を相互に重ね合わせて一対のアーム片１７とし、この一対のアーム片１７の間に挿通した軸体１８につるまきばね１９が取り付けられる。
【００４５】
一方のクリップ片１６の一端部がスリーブ１４の一端部に紐２０を介して取り付けられる。この紐２０は、一対のクリップ片１６の他端部（クリップ１２の先端部）をスリーブ１４の他端部側に向けることができる最も短い長さとなっている。これにより、このクリップ１２は、前記第３実施形態のクリップ１２と比して、上着の胸ポケット２の開口縁部を確実に挟むことが可能となる。
【図面の簡単な説明】
【００４６】
【図１】第１実施形態のクリップ付きストラップを示す斜視図
【図２】同上のクリップ付きストラップを示す側面図
【図３】同上のクリップ付きストラップを示す分解斜視図
【図４】ａは同上のスライド板の突起を示す縦断面図、ｂ〜ｄは、ａの突起の変形例を示す縦断面図
【図５】ａは同上のクリップ付きストラップの使用状態を示す側面図、ｂはａの一部切り欠き正面図
【図６】同上の使用状態で身体を前かがみにした状態を示す一部切り欠き正面図
【図７】ａは第２実施形態のクリップ付きストラップを示す正面図、ｂはａの雄バックル体を外した状態を示す正面図
【図８】第３実施形態のクリップ付きストラップを示す側面図
【図９】同上の変形例のクリップ付きストラップを示す側面図
【符号の説明】
【００４７】
１  携帯電話
２  ポケット
３  取り付け部
１０  クリップ付きストラップ
１１  ホルダ
１２  クリップ
１３  ストラップ
１４  スリーブ
１５  スライド部材
１６  クリップ片
１７  アーム片
１８  軸体
１９  つるまきばね
２０  紐
２１  係合孔
２２  凹部
２３  板ばね
２４  突起
２５  差し込み穴
２６  挿通穴
２７  ピン
２８  差し込み片
２９  切り欠き
３１  リング付き留め金
３２  雌バックル部
【図１】
0005173448.tif 000002
【図２】
0005173448.tif 000003
【図３】
0005173448.tif 000004
【図４】
0005173448.tif 000005
【図５】
0005173448.tif 000006
【図６】
0005173448.tif 000007
【図７】
0005173448.tif 000008
【図８】
0005173448.tif 000009
【図９】
0005173448.tif 000010